(57)【要約】      （修正有）【課題】植付用開口エリヤの周縁よりの、雨水、害虫等の侵入を阻止するとともに、圃場内の温度、圃場内への給水、施肥、防虫薬剤供給等の制御による圃場条件の改善可能な多層農用シートおよび防虫プランターを提供する。【解決手段】黒色シート層１１と不織布層１３を含み、周縁を溶着した植付用開口エリヤと第２開口エリヤとを有するとともに、植付用開口エリヤと第２開口エリヤは、ホットメルト接着剤を高温加熱状態で黒色シート層１１の表面に塗布する多層農用シート１０。多層農用シート１０でプランターの頂面を密封状態としたのち、植付用開口エリヤの貼付け用シートを介して植付用開口エリヤを、および第２開口エリヤの貼付け用シートを介して第２エリヤを、プランターの頂面にそれぞれ形成した防虫プランター。【選択図】図１３
2017143821.tif 000002
【特許請求の範囲】
【請求項１】
黒色シート層と不織布層を含む多層農用シートであって、周縁を溶着した植付用開口エリヤを有することを特徴とすることを特徴とする多層農用シート
【請求項２】
黒色シート層と不織布層を含む多層農用シートであって、周縁を溶着した植付用開口エリヤと、該植付用開口エリヤと独立した第２開口エリヤを有することを特徴とする多層農用シート
【請求項３】
黒色シート層と不織布層を含む多層農用シートであって、周縁を溶着した植付用開口エリヤと第２開口エリヤとを有する多層農用シートの製造にあたり、
植付用開口エリヤと第２開口エリヤは、加熱溶融型のホットメルトを高温加熱状態で黒色シート層の表面に塗布されることで、高温加熱状態ホットメルトが黒色シートと接して黒色シートを部分的に溶融して形成されることを特徴とする多層農用シートの製造方法
【請求項４】
黒色シートと不織布層を含む多層農用シートであって、周縁を溶着した植付用開口エリヤと第２開口エリヤとを有する多層農用シートであって、
前記植付用開口エリヤと前記第２エリヤは、加熱溶融型のホットメルト塗布層を含み、加熱溶融型のホットメルトの点状塗布層の溶融により形成される小孔群を含むことを特徴とする多層農用シート
【請求項５】
黒色シートと不織布層を含む多層農用シートであって、周縁を溶着した植付用開口エリヤと第２開口エリヤとを有する多層農用シートであって、
前記植付用開口エリヤと前記第２エリヤは、加熱溶融型のホットメルト塗布層を含み、加熱溶融型のホットメルトの点状塗布層の溶融により形成される小孔群を含み、更に、加熱溶融型のホットメルト塗布層に対する加熱手段を有し、加熱手段により加熱溶融型のホットメルト塗布層が溶融することで、小孔群の小孔の開口・閉口が制御されることを特徴とすることを特徴とする多層農用シート。
【請求項６】
加熱手段は、光線照射・磁気誘導等のエネルギーの供給を受けて該エネルギーの吸収により高温となる物質層であることを特徴とする請求項６記載する多層農用シート。
【請求項７】
加熱手段は、光線照射・磁気誘導等のエネルギーの供給を受けて自己発熱する物質層であることを特徴とする請求項６記載する多層農用シート。
【請求項８】
花壇、家庭菜園用のプランターの頂面に多層農用シートを装備して、プランターの頂面を密封状態としたのち、植付用開口エリヤの貼付け用シートを介して植付用開口エリヤＡを、および第２開口エリヤの貼付け用シートを介して第２エリヤＢを、プランターの頂面にそれぞれ形成したことを特徴とする、多層農用シートを装備した防虫プランター
【発明の詳細な説明】
【技術分野】
【０００１】  本発明は、黒色シート層と不織布層を含む多層農用シートに関するものである。
より詳しくは、植付用開口エリヤを有する多層農用シートに関するものである。
【背景技術】
【０００２】  多層農用シートに関して、図１４を参照して、圃場の畝の表面を黒色シートで覆うことで、太陽光線の吸収による圃場の温度上昇をはかるとともに、多層農用シートの上方よりの雨水、害虫の侵入を阻止している。
【先行技術文献】
【特許文献】
【０００３】
【特許文献１】特開平３−１６７３６２８号公開特許公報
【特許文献２】特開平１０−８４７９３号公開特許公報
【発明の概要】
【発明が解決しようとする課題】
【０００４】  特許文献１の特開平３−１６７３６２８号公開特許公報「農業用シートおよび袋状物」は、積層不織布で構成し、部分的に接着している多層構造の農業用マルチシートを開示している。
特許文献２の特開１０−８４７９３号公開特許公報「農業用温度コントロールシート」は、黒色フイルムの上に白色部材層を被膜して構成している。
上記の公知技術の農用シートは、圃場表面の全体を覆うことで、害虫の侵入阻止、雨水の侵入阻止および太陽光線の吸収による加熱で圃場温度を上昇するものであり、農用シートの使用に際しては、畝の頂面中央部に位置して、植付用開口を形成している。【０００５】  本発明は、農用シートにおいて、植付用開口エリヤの周縁よりの、雨水、害虫等の侵入を阻止することを課題とする。
本発明は、第２エリヤの小孔群の開口・閉口を制御して、圃場内の温度の制御、圃場内への給水、施肥、防虫薬剤供給等の制御よる圃場条件の改善を課題とする。
本発明は、花壇、家庭菜園用のプランターにおいて、蚊、害虫等の侵入を阻止することを課題とする。
【課題を解決するための手段】
【０００６】  請求項１の発明は、黒色シート層と不織布層を含む多層農用シートであって、周縁を溶着した植付用開口エリヤを有することを特徴とすることを特徴とする多層農用シートを提供する。
請求項２の発明は、黒色シート層と不織布層を含む多層農用シートであって、周縁を溶着した植付用開口エリヤと、該植付用開口エリヤと独立した第２開口エリヤを有することを特徴とする多層農用シートを提供する。
請求項３の発明は、黒色シート層と不織布層を含む多層農用シートであって、周縁を溶着した植付用開口エリヤと第２開口エリヤとを有する多層農用シートの製造にあたり、
植付用開口エリヤと第２開口エリヤは、加熱溶融型のホットメルトを高温加熱状態で黒色シート層の表面に塗布されることで、高温加熱状態ホットメルトが黒色シートと接して黒色シートを部分的に溶融して形成されることを特徴とする多層農用シートの製造方法を提供する。
請求項４の発明は、黒色シートと不織布層を含む多層農用シートであって、周縁を溶着した植付用開口エリヤと第２開口エリヤとを有する多層農用シートであって、前記植付用開口エリヤと前記第２エリヤは、加熱溶融型のホットメルト塗布層を含み、加熱溶融型のホットメルトの点状塗布層の溶融により形成される小孔群を含むことを特徴とする多層農用シートを提供する。
請求項５の発明は、請求項４の発明に加えて、更に、加熱溶融型のホットメルト塗布層に対する加熱手段を有し、加熱手段により加熱溶融型のホットメルト塗布層が溶融することで、小孔の開口・閉口が制御されることを特徴とすることを特徴とする多層農用シートを提供する。
請求項６の発明は、請求項５の加熱手段は、光線照射・磁気誘導等のエネルギーの供給を受けて該エネルギーの吸収により高温となる物質層であることを特徴とする。
請求項７の発明は、請求項５の加熱手段は、光線照射・磁気誘導等のエネルギーの供給を受けて自己発熱する物質層であることを特徴とする。
請求項８の発明は、花壇、家庭菜園用のプランターの頂面に多層農用シートを装備して、プランターの頂面を密封状態としたのち、植付用開口エリヤの貼付け用シートを介して植付用開口エリヤＡを、および第２開口エリヤの貼付け用シートを介して第２エリヤＢを、プランターの頂面にそれぞれ形成したことを特徴とする、多層農用シートを装備した防虫プランターを提供する。
【発明の効果】
【０００７】  本発明は、黒色シート層と不織布層を含む多層農用シートにおいて、周縁を溶着した植付用開口エリヤの周縁を溶着したことで、植付用開口よりの、雨水、害虫等の侵入を阻止することができる。
本発明は、植付用開口エリヤと独立した小孔エリヤを形成し、該小孔エリヤの開口・閉口を制御することで、圃場内の温度の制御、圃場への給水、施肥、防虫薬剤供給等の圃場条件の制御・改善を容易とする。
本発明は、花壇、家庭菜園用のプランターにおいて、蚊、害虫等の侵入を阻止する効果を有する。
【図面の簡単な説明】
【０００８】
【図１】本願第１発明の実施例の多層農用シートを示し、ａ図は平面図、ｂ図はａ図Ｓ１−Ｓ１線による断面図。
【図２】植付用開口エリヤを示す平面図。
【図３】本願第２発明の実施例の多層農用シートを示し、ａ図は平面図、ｂ図はａ図Ｓ２−Ｓ２線による断面図。
【図４】第２開口エリヤの第１実施例を示し、ａ図は平面図、ｂ図はａ図Ｓ３−Ｓ３線による断面図。
【図５】第２開口エリヤの閉口状態を示す部分平面図。
【図６】同じく第２開口エリヤの開口状態を示す部分平面図。
【図７】第２開口エリヤの第２実施例を示し、ａ図は平面図、ｂ図は断面図。
【図８】第２開口エリヤの第３実施例を示し、ａ図は平面図、ｂ図は断面図。
【図９】植付用開口エリヤの貼付け用シートを示し、ａ図は平面図、ｂ図は断面図。
【図１０】第２開口エリヤの貼付け用シートを示し、ａ図は平面図、ｂ図は断面図。
【図１１】植付用開口エリヤの貼付け用シートおよび第２開口エリヤの貼付け用シートの使用例を示すプランターの斜視図。
【図１２】同じく平面図。
【図１３】公知例の多層農用シートの断面図。
【図１４】同じく圃場での使用状態を示す断面図。
【発明を実施するための形態】
【０００９】  以下、添付の図面を参照して、本願発明の多層農用シートの実施例を説明する。
【００１０】  図１３は、公知の多層農用シート１０の一例を示し、上面の黒色シート層１１と不織布層１３と下面の白色シート層１２を含む多層構造である。黒色シート層１１、および白色シート層１２は、軟質合成樹脂シート（加熱溶融材質シート）である。
【００１１】  図１は、図１３の多層農用シート１０に、周縁を溶着した植付用開口エリヤＡを形成した本願発明の多層農用シート１ａを示す。
植付用開口エリヤＡは、高温ホットメルト接着剤を多層農用シート１０の上面に部分塗布（例えば、点状塗布）することにより形成されるところの、上面の黒色シート層１１と下面の白色シート層１２との融着により形成される融着周縁部３が形成されている。実施例においては、点状融着部３ａが付加されている。
【００１２】  図３は、図１の多層農用シート１ａに、周縁を溶着した植付用開口エリヤＡに加えて、該植付用開口エリヤＡと独立した第２開口エリヤＢを有する多層農用シート１ｂを示している。
第２開口エリヤＢは、高温ホットメルト接着剤の塗布により形成されている。即ち、高温ホットメルト接着剤Ｈの塗布面が、上面の黒色シート層１１と下面の白色シート層１２とを融着させることで開口され、小孔の集合として小孔群４が存在することで、構成されている。
実施例においては、第２開口エリヤＢは、点状融着による小孔４ａの集合であるが、縦方向帯状開口、横方向帯状開口の集合としてもよいものである。
なお、上述の点状融着による小孔４ａによる小孔群４が形成されて“開口”状態において、更に、常温状態でホットメルト接着剤の塗布を行うことで“閉口”状態に変更することができる。この“閉口”状態で、太陽光照射・圃場の温度上昇により、ホットメルト接着剤の溶融で“開口”状態に変化する。
【００１３】  図４に示す第２開口エリヤＢは、加熱溶融型のホットメルト塗布層Ｈａと加熱硬化型のホットメルト塗布層Ｈｂとの混合層を含み、加熱溶融型のホットメルト塗布層の溶融により小孔群４ａが形成されている。
【００１４】  図５の多層農用シート１ｃは、加熱溶融型のホットメルト塗布層の溶融により、多層農用シート１ｃを貫通する小孔群４ａが形成されて、開口状態である。
図６の多層農用シート１ｃは、加熱溶融型のホットメルト塗布層Ｈａの硬化による変形により、加熱溶融型のホットメルト塗布層Ｈａが加熱硬化部分に引寄せられて、多層農用シート１ｃを貫通する小孔群４ａが形成されることにより、開口状態である。
【００１５】  図７の多層農用シート１ｄは、加熱溶融型のホットメルト塗布層Ｈａと加熱硬化型のホットメルト塗布層Ｈｂとを二層構造とし、加熱硬化型のホットメルト塗布層Ｈｂを格子状、網状分布とし、加熱溶融型のホットメルト塗布層Ｈａを全面分布とする。加熱溶融型のホットメルト塗布層Ｈａの塗布で溶融開口するが、加熱溶融型のホットメルト塗布層Ｈａの全面分布により、シート閉口状態である。
土壌またはシート表面の温度上昇により、加熱硬化型のホットメルト塗布層Ｈｂの加熱硬化により、加熱硬化型のホットメルト塗布層Ｈｂの上下長さが拡大することで、加熱硬化型のホットメルト塗布層Ｈｂの格子状、網状分布の網目が開口して、“開口状態”となる。
【００１６】  第２開口エリヤＢについて、加熱溶融型のホットメルト塗布層Ｈａと加熱硬化型のホットメルト塗布層Ｈｂとを混合した粒状体層として、格子状、網状分布に塗布し、隣接する粒状体５ａの加熱溶融型のホットメルト塗布層Ｈａが互いに一体化することで、小孔群４ａを閉口状態とする。土壌またはシート表面の温度上昇により、加熱硬化型のホットメルト塗布層Ｈｂの加熱硬化により、粒状体５ａの相互間隔が拡大することで、開口状態とする。
【００１７】  図８の実施例においては、更に、加熱溶融型のホットメルト塗布層に対する加熱手段を有し、加熱手段により加熱溶融型のホットメルト塗布層が溶融することで、小孔の開口・閉口が制御される。
加熱手段は、光線照射・磁気誘導等のエネルギーの供給を受けて高温となる加熱硬化物質層・金属片混合層６とし、温室内の紫外線照射装置、可視光照射装置、赤外線照射装置により加熱硬化物質層・金属片混合層を格子状、網状、点状分布することで、図４と同様に、開口・閉口を制御することができる。また、磁性体を格子状、網状、点状分布することで、磁気誘導による過電流の発生を利用して、同様に、開口・閉口を制御することができる
加熱手段として、酸化鉄等の自己発熱物質、熱硬化発熱物質を適用することで、給水、光線照射等により、開口・閉口を制御することができる。
【００１８】  図１１を参照して、植付用開口エリヤＡの形成にあたり、紙、合成樹脂シート等の材質の貼り付用シート（台紙）ＡＡを介して、既存の多層農用シートに装備することで、本発明の植付用開口エリヤＡを形成することができる。植付け箇所が少ない場合には植付用開口エリヤＡの一部をのみを除去して開口して植付け場所として利用し、他はシート状態で残すことが可能である。
【００１９】  図１２を参照して、第２エリヤＢの形成にあたり、紙、合成樹脂シート等の材質の貼り付用シート（台紙）ＢＢを介して、既存の多層農用シート１０に装備することで、本発明の第２エリヤＢを形成することができる。
【００２０】  花壇、家庭菜園用のプランターＰの頂面に既存の多層農用シート１０を装備して、プランターの頂面を密封状態としたのち、植付用開口エリヤの貼付け用シートＡＡおよび第２開口エリヤの貼付け用シート装備して、本発明の植付用開口エリヤＡおよび第２エリヤＢを形成し、植物Ｗを植付けた場合を図１３、図１４に示す。
【００２１】  本発明は、上面の黒色シート層１１と下面の白色シート層１２との融着により形成される融着周縁部３が存在することで、黒色シート層１１と下面の白色シート層１２との間の内部空間（例えば、不織布層１３）と植付用開口エリヤＡとが密封状態であることで、内部空間への害虫、蚊等の侵入を阻止することできる。よって、温室内、温室近傍の環境改善をはかることができる。家屋近傍や街路に配置する花壇、植木鉢の表面カバーに本発明を適用すると、蚊発生の阻止対策として有効である。
【産業上の利用可能性】
【００２２】  本発明は、黒色シート層と不織布層を含む多層農用シートにおいて、植付用開口よりの、雨水、害虫等の侵入を阻止することで、多層農用シートの利用を促進することにより、多層農用シートの製造業の発展に寄与するものである。
【符号の説明】
【００２３】Ａ      植付用開口エリヤ
Ｂ      第２開口エリヤ
Ｈａ    加熱溶融型のホットメルト塗布層
Ｈｂ    加熱硬化型のホットメルト塗布層
１ａ、１ｂ、１ｃ  多層農用シート
３      融着周縁部
３ａ    点状融着部
４      小孔群
４ａ    小孔
【図１】
2017143821.tif 000003
【図２】
2017143821.tif 000004
【図３】
2017143821.tif 000005
【図４】
2017143821.tif 000006
【図５】
2017143821.tif 000007
【図６】
2017143821.tif 000008
【図７】
2017143821.tif 000009
【図８】
2017143821.tif 000010
【図９】
2017143821.tif 000011
【図１０】
2017143821.tif 000012
【図１１】
2017143821.tif 000013
【図１２】
2017143821.tif 000014
【図１３】
2017143821.tif 000015
【図１４】
2017143821.tif 000016